(57)【要約】【課題】カバーを開かなくても、化粧ハンドルに表示された表示内容やスイッチがオンかオフかの確認が容易に行えるカバー付きスイッチ構造を提供する。【解決手段】カバーボディ９の前面に、透明カバー１０がヒンジ部１１で開閉可能に取付けられている。【選択図】  図１
2004348985.tif 000002
【特許請求の範囲】
【請求項１】
カバーボディの前面に、透明カバーがヒンジ部で開閉可能に取付けられていることを特徴とするカバー付きスイッチ構造。
【請求項２】
上記透明カバーにヒンジ軸部が一体形成されるとともに、上記カバーボディに、ヒンジ軸部が嵌合可能な可撓性のヒンジ穴部が一体形成されている請求項１記載のカバー付きスイッチ構造。
【請求項３】
上記透明カバーを開閉位置に保持するクリック用ばね部が上記カバーボディに一体形成されている請求項１記載のカバー付きスイッチ構造。
【請求項４】
上記ヒンジ部は、上部若しくは側部に設けられている請求項１記載カバー付きスイッチ構造。
【請求項５】
上記ヒンジ部は、上記カバーボディの外縁内に位置させている請求項１記載のカバー付きスイッチ構造。
【請求項６】
上記透明カバーにロック機構が設けられている請求項１記載のカバー付きスイッチ構造。
【請求項７】
カバーボディの前面に、透明カバーが係止固定されていることを特徴とするカバー付きスイッチ構造。
【請求項８】
カバーボディの前面の必要箇所に、分割された透明カバーが係止固定されていることを特徴とするカバー付きスイッチ構造。
【発明の詳細な説明】
【０００１】
【発明の属する技術分野】
本発明は、カバー付きスイッチ構造に関する。
【０００２】
【従来の技術】
近年、新築の住宅等においては、換気扇を２４時間連続運転させて室内を換気することが義務付けられている。
【０００３】
このため、不用意に換気扇用スイッチをオフすることを防止するために、カバーボディの前面に、カバーをヒンジ部で開閉可能に取付けたカバー付きスイッチ構造が提案されている（例えば、特許文献１参照）。
【０００４】
【特許文献１】
特開平７−３２０５８１号公報
【０００５】
【発明が解決しようとする課題】
しかしながら、特許文献１では、カバーによって換気扇用スイッチ全体を隠しているから、スイッチの化粧ハンドルに表示された表示内容やスイッチがオンかオフかを確認するためには、カバーをその度に開く必要があるので、煩わしいという問題があった。
【０００６】
本発明は、上記問題を解消するためになされたもので、カバーを開かなくても、化粧ハンドルに表示された表示内容やスイッチがオンかオフかの確認が容易に行えるカバー付きスイッチ構造を提供することを課題とするものである。
【０００７】
【課題を解決するための手段】
上記課題を解決するために、本発明の請求項１は、カバーボディの前面に、透明カバーがヒンジ部で開閉可能に取付けられていることを特徴とするカバー付きスイッチ構造を提供するものである。ここで、透明とは、カバー越しに内部を透視できることを意味し、透視が可能な程度に着色されていても良いし、半透明であっても良い。また、カバー全体が透明である必要は必ずしもなく、内部の透視に支障が無ければ、例えばカバー周辺部が不透明であっても良い。
【０００８】
請求項２のように、上記透明カバーにヒンジ軸部が一体形成されるとともに、上記カバーボディに、ヒンジ軸部が嵌合可能な可撓性のヒンジ穴部が一体形成されている構成とすることが好ましい。
【０００９】
請求項３のように、上記透明カバーを開閉位置に保持するクリック用ばね部が上記カバーボディに一体形成されている構成とすることが好ましい。
【００１０】
請求項４のように、上記ヒンジ部は、上部若しくは側部に設けられている構成とすることが好ましい。
【００１１】
請求項５のように、上記ヒンジ部は、上記カバーボディの外縁内に位置させている構成とすることが好ましい。
【００１２】
請求項６のように、上記透明カバーにロック機構が設けられている構成とすることが好ましい。
【００１３】
本発明の請求項７は、カバーボディの前面に、透明カバーが係止固定されていることを特徴とするカバー付きスイッチ構造を提供するものである。
【００１４】
本発明の請求項８は、カバーボディの前面の必要箇所に、分割された透明カバーが係止固定されていることを特徴とするカバー付きスイッチ構造を提供するものである。
【００１５】
【発明の作用および効果】
本発明の請求項１によれば、カバーボディの前面に、透明カバーをヒンジ部で開閉可能に取付けたから、カバーを開かなくても、化粧ハンドルに表示された表示内容やスイッチがオンかオフかの確認がカバー越しに容易に行える。
【００１６】
請求項２によれば、透明カバーにヒンジ軸部を一体形成し、カバーボディに、ヒンジ軸部が嵌合可能な可撓性のヒンジ穴部を一体形成することにより、ヒンジ軸部をヒンジ穴部にスナップインで嵌合できるので、透明カバーの組立性が向上する。また、カバーボディは、通常、白色等に着色されているから、透明カバーのヒンジ軸部が外部から見えなくなるので、外観性が向上する。
【００１７】
請求項３によれば、透明カバーを開放位置に保持するクリック用ばね部をカバーボディに一体形成することにより、別部品である金属ばねと摺動板とを必要とする構造と比較して、組立が容易になるとともに、部品点数の削減でコストダウンが図れる。
【００１８】
請求項４によれば、ヒンジ部を上部若しくは側部に設けることにより、透明カバーをカバーボディにロックするロック機構を下部に設けることができるので、透明カバーの自重や外部からの振動・衝撃等でもロックが外れにくいとともに、仮にロックが外れたとしても透明カバーが自重で開くおそれがなくなる。
【００１９】
請求項５によれば、ヒンジ部をカバーボディの外縁内に位置させることにより、従来品のカバーボディと同サイズで、同じ取付け方法を採用できるので、既存のプレート枠に、本発明に係る透明カバー付きカバーボディを簡単に取替えることができる。
【００２０】
請求項６によれば、透明カバーにロック機構を設けることにより、悪戯等で透明カバーが簡単に開けられないので、安全性が向上する。
【００２１】
本発明の請求項７によれば、カバーボディの前面に、透明カバーを係止固定したから、悪戯等で透明カバーが簡単に開けられないので、安全性が向上するとともに、固定用の部品（ロック機構やねじ等）の部品点数の削減でコストダウンが図れる。
【００２２】
本発明の請求項８によれば、カバーボディの前面の必要箇所に、分割された透明カバーを係止固定したから、悪戯等で透明カバーが簡単に開けられないので、安全性が向上するとともに、固定用の部品（ロック機構やねじ等）の部品点数の削減でコストダウンが図れる。
【００２３】
【発明の実施の形態】
以下、本発明の実施の形態を図面を参照して詳細に説明する。
【００２４】
図１７は、カバー付きスイッチ構造の全体基本図であり、家屋の壁面に取付けられたスイッチボックス１から引き出されたコード（電線）２に換気扇用スイッチ３を結線して、この換気扇用スイッチ３を金属枠４に嵌合した後に、金属枠４をねじ５でスイッチボックス１に固定する。
【００２５】
ついで、化粧ハンドル６を換気扇用スイッチ３に嵌合させ、プレート枠７をねじ８で金属枠４に固定した後に、このプレート枠７に透明カバー１０付きのカバーボディ９を取付けることにより、組付けが完了するようになる。
【００２６】
上記プレート枠７、カバーボディ９および透明カバー１０等は、合成樹脂で成形されている。
【００２７】
図１および図２に示すように、上記プレート枠７の上下部には、上記ねじ８が挿通するねじ用穴７ａが形成されるとともに、左右部には、上記カバーボディ９の背面の係止爪９ａ（図１７参照）が差し込まれた時に係止固定するための係止穴７ｂが形成されている。
【００２８】
上記カバーボディ９の前面上部の左右位置には、前方に突出するヒンジ用凸部９ｂがそれぞれ形成されるとともに、上記透明カバー１０の上部に左右位置には、上記ヒンジ凸部９ｂが嵌り合うヒンジ用凹部１０ａがそれぞれ形成されている。上記ヒンジ用凸部９ａは、透明カバー１０の外面に沿った外形状に形成されている。
【００２９】
上記透明カバー１０の各ヒンジ用凹部１０ａ内の内向き壁面には、内方に突出するヒンジ軸部１０ｂがそれぞれ一体形成されるとともに、図６および図８（ｃ）に示すように、上記カバーボディ９の各ヒンジ用凸部９ｂの外向き壁面には、上記ヒンジ軸部１０ｂが嵌合可能なヒンジ穴部９ｃを有する可撓性のヒンジ片部９ｇが一体形成されている。
【００３０】
そして、図６（ａ）のように、カバーボディ９のヒンジ用凸部９ｂの間に透明カバー１０のヒンジ用凹部１０ａを矢印Ａの方向から嵌め込むと、図６（ｂ）のように透明カバー１０のヒンジ軸部１０ｂによってカバーボディ９のヒンジ片部９ｇが内方に撓まされながら（矢印Ｂ参照）、図５（ｄ）のように、ヒンジ軸部１０ｂがヒンジ穴部９ｃにスナップイン嵌合されるようになる。
【００３１】
これにより、図３に示すように、カバーボディ９の前面に、透明カバー１０がヒンジ穴部９ｃとヒンジ軸部１０ｂとで上下方向に開閉可能に取付けられるようになる。
【００３２】
上記ヒンジ穴部９ｃとヒンジ軸部１０ｂとは、カバーボディ９と透明カバー１０との上部に設けたものであるが、側部に設けることもできる。
【００３３】
また、上記ヒンジ穴部９ｃとヒンジ軸部１０ｂとは、上記カバーボディ９の外縁内に位置させている。すなわち、カバーボディ９の外縁から突出させないように形状を設定している。
【００３４】
上記カバーボディ９のヒンジ用凸部９ｂとヒンジ穴部９ｃ、透明カバー１０のヒンジ用凹部１０ａとヒンジ軸部１０ｂは、ヒンジ部１１を構成する
図８に示すように、上記カバーボディ９の左右のヒンジ用凸部９ｂの間の前壁には、平面視で前方に略台形状で突出するクリック用ばね部９ｄが両端支持の状態で一体形成され、このクリック用ばね部９ｄは、前方（矢印Ｃ参照）に弾性力が付与できるようになっている。
【００３５】
そして、図８（ｄ）の実線のように、閉位置の透明カバー１０のヒンジ用凹部１０ａの間の凸部１０ｃを弾性力で前方に押すことにより、透明カバー１０を閉位置に保持するとともに、図８（ｄ）の二点鎖線のように、開位置の透明カバー１０のヒンジ用凹部１０ａの間の凸部１０ｃを弾性力で前方に押すことにより、透明カバー１０を開位置方向に付勢するようになる。この透明カバー１０は、上記クリック用ばね部９ｄによって、図３（ｂ）に実線で示した全開位置に保持されるようになる。
【００３６】
図１に示したように、上記透明カバー１０の下部内面の左右位置に係止爪（不図示）を形成するとともに、上記カバーボディ９の下部外面の左右位置に、上記係止爪が差し込まれたときに係止固定するための係止穴９ｊを形成して、透明カバー１０の下部を係止固定するようになっている。そして、図２（ｃ）に示すように、透明カバー１０とカバーボディ９の下面にそれぞれ形成した窪み部９ｋ，１０ｋに指を入れて、透明カバー１０を手前に強く引いて係止固定を無理外しすることにより、透明カバー１０を開き操作することができる。
【００３７】
図１０は、第１例のロック機構１２Ａであり、上記透明カバー１０の下部の一側（図１０では右側）に長穴１０ｄが形成され、この長穴１０ｄに、ロック部１３ａを有するつまみ１３が左右方向Ｄにスライド可能に支持されるとともに、上記カバーボディ９には、つまみ１３のスライド右端に位置して、ロック部１３ａが係合するロック溝９ｅが形成されている。
【００３８】
そして、透明カバー１０の閉位置で、つまみ１３を右方向にスライドさせると、ロック部１３ａがカバーボディ９のロック溝９ｅに係合して、透明カバー１０が閉位置でロックされるようになる。
【００３９】
図１１は、第２例のロック機構１２Ｂであり、上記透明カバー１０の下部の一側（図１１では右側）に、ドライバー等の工具で操作可能な回転鍵１４が回転可能に支持されるとともに（矢印Ｅ参照）、上記カバーボディ９には、回転鍵１４の回転右端に位置して、回転鍵１４のロック部１４ａが係合するロック溝９ｅが形成されている。なお、１０ｅは、回転鍵１４のロック部１４ａを回転左端に当て止めるストッパー部である。
【００４０】
そして、透明カバー１０の閉位置で、回転鍵１４を右方向に回転させると、ロック部１４ａがカバーボディ９のロック溝９ｅに係合して、透明カバー１０が閉位置でロックされるようになる。
【００４１】
上記各実施形態は、カバーボディ９の前面に、透明カバー１０をヒンジ部１１で開閉可能に取付けた構成であったが、このようなヒンジ部１１を設ける代わりに、上述したカバーボディ９の係止爪９ａをプレート枠７の係止穴７ａに係止固定する構造と同様に、図１２に示すように、上記カバーボディ９の左右部に、上記透明カバー１０の背面に形成した係止爪１０ｆが差し込まれた時に（矢印Ｆ参照）係止固定するための係止穴９ｆを形成して、カバーボディ９の前面に、透明カバー１０を係止固定することもできる。
【００４２】
また、図１３に示すように、透明カバー１０を上下方向に適当個（本例では３個）に分割して、普段は操作しない換気扇用スイッチ３（Ｂ），３（Ｃ）の箇所には、分割した透明カバー１０（Ｂ），１０（Ｃ）の背面に形成した係止爪１０ｆを、カバーボディ９の左右部に形成した係止穴９ｆに差し込んで（矢印Ｆ参照）係止固定することもできる。なお、普段は操作する照明用スイッチ３（Ａ）の箇所には、分割した残りの透明カバーは係止固定しない。
【００４３】
上記のように構成したカバー付きスイッチ構造の作用効果を次ぎに説明する。
【００４４】
（１）カバーボディ９の前面に、透明カバー１０をヒンジ部１１で開閉可能に取付けたから、図４（ａ）のように透明カバー１０をひらいても、図４（ｂ）のように透明カバー１０を開かなくても、化粧ハンドル６に表示された表示内容や換気扇用スイッチ３がオンかオフかの確認がカバー越しに容易に行える。
【００４５】
（２）透明カバー１０にヒンジ軸部１０ｂを一体形成し、カバーボディ９に、ヒンジ軸部１０ｂが嵌合可能なヒンジ穴部９ｃを有する可撓性のヒンジ片部９ｇを一体形成することにより、ヒンジ軸部１０ｂをヒンジ穴部９ｃにスナップインで嵌合できるので、透明カバー１０の組立性が向上する。
【００４６】
また、カバーボディ９は、通常、白色等に着色されているので、透明カバー１０のヒンジ軸部１０ｂが外部から見えなくなるので、外観性が向上する。
【００４７】
因みに、図１４に示すように、カバーボディ９のヒンジ用凸部９ｂを透明カバー１０のヒンジ用凹部１０ａに嵌め合わせた状態で、左右のヒンジ用凸部９ｂと、その間の透明カバー１０の凸部１０ｃとにヒンジ軸１６を貫通させるヒンジ構造を採用した場合には、透明の凸部１０ｃを透過してヒンジ軸１６が外部から見えるとともに、ヒンジ用凸部９ｂの両端からもヒンジ軸１６が見えるので、外観性が悪くなる。
【００４８】
（３）透明カバー１０を開閉位置に保持するクリック用ばね部９ｄをカバーボディ９に一体形成することにより、別部品である金属ばねと摺動板とを必要とする構造と比較して、組立が容易になるとともに、部品点数の削減でコストダウンが図れる。
【００４９】
因みに、図８（ｄ）に対応する図１６（ａ）（ｂ）のように、別部品である金属ばね１７と、摩耗防止用摺動板１８とを必要とする構造を採用した場合には、組立に時間がかかるとともに、部品点数が増加してコストアップになる。
【００５０】
（４）ヒンジ部１１をカバーボディ９と透明カバー１０の上部若しくは側部に設けることにより、透明カバー１０をカバーボディ９にロックするロック機構１２Ａ，１２Ｂを下部に設けることができるので、透明カバー１０の自重や外部からの振動・衝撃等でもロックが外れにくいとともに、仮にロックが外れたとしても、図７に示すように、透明カバー１０が二点鎖線で示すような位置まで自重で開くおそれがなくなる。
【００５１】
因みに、図１５に示すように、ヒンジ軸１６をカバーボディ９と透明カバー１０の下部に設けた場合には、透明カバー１０の自重や外部からの振動・衝撃等でロックが外れやすいとともに、仮にロックが外れると、透明カバー１０が二点鎖線で示すように自重で開くおそれがある。
【００５２】
（５）ヒンジ部１１をカバーボディ９の外縁内に位置させることにより、図９に示すように、カバーボディ９を図９（ａ）の従来品のカバーボディ９´と同サイズで、同じ取付け方法を採用できるので、既存のプレート枠７に、透明カバー１０付きのカバーボディ９を簡単に取替えることができる。
【００５３】
（６）透明カバー１０にロック機構１２Ａ，１２Ｂを設けることにより、悪戯等で透明カバー１０が簡単に開けられないので、安全性が向上する。
【００５４】
（７）カバーボディ９の係止穴９ｆに透明カバー１０を係止爪１０ｆで係止固定することにより、悪戯等で透明カバー１０が簡単に開けられないので、安全性が向上するとともに、固定用の部品（ロック機構やねじ等）の部品点数の削減でコストダウンが図れる。
【００５５】
（８）カバーボディ９の必要箇所の係止穴９ｆに、分割された透明カバー１０（Ｂ），１０（Ｃ）を係止爪１０ｆで係止固定することにより、悪戯等で透明カバー１０（Ｂ），１０（Ｃ）が簡単に開けられないので、安全性が向上するとともに、固定用の部品（ロック機構やねじ等）の部品点数の削減でコストダウンが図れる。
【図面の簡単な説明】
【図１】本発明に係るカバー付きスイッチ構造のヒンジタイプのプレート枠とカバーボディと透明カバーとの分解斜視図である。
【図２】プレート枠とカバーボディと透明カバーとの組み立て体であり、（ａ）は平面図、（ｂ）は正面図、（ｃ）は底面図、（ｄ）は側面図、（ｅ）は背面図である。
【図３】透明カバーを開けたスイッチ構造であり、（ａ）は正面図、（ｂ）は側面図である。
【図４】（ａ）は透明カバーを開けたスイッチ構造の正面図、（ｂ）は透明カバーを閉じたカバー構造の正面図である。
【図５】ヒンジ部を示すスイッチ構造であり、（ａ）は正面図、（ｂ）は側面図、（ｃ）は透明カバーを開けた正面図、（ｄ）は（ｃ）のＧ−Ｇ線拡大断面図である。
【図６】（ａ）は透明カバーの取付け要領の正面図、（ｂ）は（ａ）のＨ−Ｈ線拡大断面図である。
【図７】透明カバーの開き要領であり、（ａ）は正面図、（ｂ）は側面図である。
【図８】クリック用バネ部を示すスイッチ構造であり、（ａ）は正面図、（ｂ）は側面断面図、（ｃ）は（ａ）のＩ−Ｉ線拡大断面図、（ｄ）は（ｂ）のＪ部分の拡大図である。
【図９】（ａ）は従来品のカバーボディの背面図、（ｂ）は本発明のカバーボディの背面図、（ｃ）はプレート枠の正面図である。
【図１０】第１ロック機構を示すスイッチ構造であり、（ａ）は正面図、（ｂ）は要部破断底面図、（ｃ）は（ｂ）の要部拡大図である。
【図１１】第２ロック機構を示すスイッチ構造であり、（ａ）は正面図、（ｂ）は要部破断正面図、（ｃ）は（ｂ）のＫ部分の拡大図である。
【図１２】係止タイプのスイッチ構造であり、（ａ）は正面図、（ｂ）は側面図、（ｃ）は透明カバーの取付け要領の底面図である。
【図１３】分割係止タイプのスイッチ構造であり、（ａ）は正面図、（ｂ）は側面図、（ｃ）は分割透明カバーの取付け要領の底面図である。
【図１４】第１比較品のカバー付きスイッチ構造のヒンジ部であり、（ａ）は正面図、（ｂ）は側面図である。
【図１５】第２比較品のカバー付きスイッチ構造のヒンジ部であり、（ａ）は正面図、（ｂ）は側面図である。
【図１６】第３比較品のカバー付きスイッチ構造のクリックばね部であり、（ａ）は透明カバーを閉じた図８（ｄ）に対応する拡大図、（ｂ）は透明カバーを開いた図８（ｄ）に対応する図である。
【図１７】本発明に係るカバー付きスイッチ構造の分解斜視図である。
【符号の説明】
３（Ｂ，Ｃ）  換気扇用スイッチ
９      カバーボディ
９ｃ    ヒンジ穴部
９ｄ    クリック用ばね部
９ｆ    係止穴
１０（Ｂ，Ｃ）  透明カバー
１０ｂ  ヒンジ軸部
１０ｆ  係止爪
１１    ヒンジ部
１２Ａ，１２Ｂ  ロック機構
【図１】
2004348985.tif 000003
【図２】
2004348985.tif 000004
【図３】
2004348985.tif 000005
【図４】
2004348985.tif 000006
【図５】
2004348985.tif 000007
【図６】
2004348985.tif 000008
【図７】
2004348985.tif 000009
【図８】
2004348985.tif 000010
【図９】
2004348985.tif 000011
【図１０】
2004348985.tif 000012
【図１１】
2004348985.tif 000013
【図１２】
2004348985.tif 000014
【図１３】
2004348985.tif 000015
【図１４】
2004348985.tif 000016
【図１５】
2004348985.tif 000017
【図１６】
2004348985.tif 000018
【図１７】
2004348985.tif 000019